(57)【要約】【課題】一時的な受信状況の劣化が生じた場合でも、欠落した映像出力を置換できる放送番組の提供方法とその放送番組を受信する受信装置、その放送番組を放送する送信装置を提供する。【解決手段】符号化部１０６により符号化された映像データを遅延バッファ１１２により遅延させると共に、遅延バッファ１１２の遅延時間よりも時間インターリーブ長以上短くした遅延時間で、上記符号化された映像データを遅延バッファ１１５，１１６により遅延させる。そして、遅延バッファ１１２，１１５，１１６からの符号化された字幕データを、システム符号化多重化部１１７により多重化してデータストリームを作成し、そのデータストリームを復調部１１９，送信部１２２により放送する。【選択図】　図１
2004140506.tif 000002
【特許請求の範囲】
【請求項１】
データ多重放送が可能なデジタル放送における放送番組の提供方法であって、
上記デジタル放送が時間インターリーブ処理を行う放送方式を用い、
置換可能な複数の映像データの夫々を時間的な間隔をあけて放送し、かつ、上記置換可能な複数の映像データのうちの少なくとも２つの映像データの時間的な間隔が、上記時間インターリーブ処理によって上記複数の映像データが時間軸上に拡散される時間的な長さ以上であることを特徴とする放送番組の提供方法。
【請求項２】
請求項１に記載の放送番組の提供方法において、
上記置換可能な複数の映像データの夫々を放送する上記の時間的な間隔が、１秒以上であることを特徴とする放送番組の提供方法。
【請求項３】
請求項１に記載の放送番組の提供方法において、
上記データ多重放送が、デジタル変調された複数の搬送波からなる複数のＯＦＤＭセグメントの部分受信セグメントによる放送であることを特徴とする放送番組の提供方法。
【請求項４】
請求項１に記載の放送番組の提供方法において、
上記置換可能な複数の映像データが、少なくとも１つ以上の動画よりなる映像データと、上記動画よりなる映像データより時間的に早く放送される少なくとも１つ以上の上記動画よりなる映像データの映像フレームを間引きして作成された映像データからなることを特徴とする放送番組の提供方法。
【請求項５】
請求項１に記載の放送番組の提供方法において、
上記置換可能な複数の映像データの一部の放送を、上記一部のデータ以外の他のデータのデータ量に応じて全体のデータ量が放送帯域以下となるように制御することを特徴とする放送番組の提供方法。
【請求項６】
請求項１に記載の放送番組の提供方法において、
置換可能な複数の音声データの夫々を時間的な間隔をあけて放送し、かつ、上記置換可能な複数の音声データのうちの少なくとも２つの音声データの時間的な間隔が、上記時間インターリーブ処理によって上記複数の音声データが時間軸上に拡散される時間的な長さ以上であることを特徴とする放送番組の提供方法。
【請求項７】
請求項１に記載の放送番組の提供方法において、
置換可能な複数の音声データの夫々を時間的な間隔をあけて放送し、かつ、上記置換可能な複数の音声データのうちの少なくとも２つの音声データの時間的な間隔が、上記時間インターリーブ処理によって上記複数の音声データが時間軸上に拡散される時間的な長さ以上であるすると共に、
置換可能な複数の字幕データの夫々を時間的な間隔をあけて放送し、かつ、上記置換可能な複数の字幕データのうちの少なくとも２つの字幕データの時間的な間隔が、上記時間インターリーブ処理によって上記複数の字幕データが時間軸上に拡散される時間的な長さ以上であることを特徴とする放送番組の提供方法。
【請求項８】
データ多重放送が可能なデジタル放送を受信する受信装置において、
時間的な間隔をあけて放送された置換可能な複数の映像データを含む放送を受信する受信手段と、
上記受信手段により受信された上記映像データを出力する映像出力手段と、
上記置換可能な複数の映像データのあるものに受信障害が生じた場合、上記受信障害が生じた映像データとは異なる置換可能な別の映像データによって上記映像出力手段の出力を置換する映像置換手段とを有することを特徴とする受信装置。
【請求項９】
請求項８に記載の受信装置において、
上記置換可能な映像データの映像フレームを間引きして単位時間当たりのデータ量の少ない置換可能な映像データを作成するデータ間引き手段を有することを特徴とする受信装置。
【請求項１０】
請求項８に記載の受信装置において、
上記映像置換手段は、
上記複数の映像データ間で、上記映像データ毎にそれぞれ付加されている提示時刻または復号時刻を比較して、各映像データの受信障害を検出する障害検出手段と、
上記障害検出手段によって受信障害がないかまたは受信障害が所定頻度より少ないと判断した映像データを、上記映像出力手段に出力する選択送出手段とを有することを特徴とする受信装置。
【請求項１１】
データ多重放送が可能なデジタル放送を送信する送信装置において、
映像データを符号化する映像符号化手段と、
上記映像符号化手段により符号化された映像データを遅延させる第１の遅延手段と、
上記第１の遅延手段の遅延時間よりも、放送方式の時間インターリーブ処理によって映像データが時間軸上に拡散される時間的な長さ以上短くした遅延時間で、上記映像符号化手段により符号化された映像データを遅延させる第２の遅延手段と、
少なくとも上記第１の遅延手段と上記第２の遅延手段からの上記符号化された映像データを多重化したデータストリームを作成するデータストリーム作成手段と、
上記データストリームを放送する放送手段とを有することを特徴とする送信装置。
【発明の詳細な説明】
【０００１】
【発明の属する技術分野】
本発明は、時間インターリーブ処理を行う方式のデジタル放送の放送番組の提供方法、および、デジタル放送の放送番組を受信する受信装置、および、デジタル放送の放送番組を送信する送信装置に関する。特に、日本方式の地上デジタル放送（ＩＳＤＢ−Ｔ：Ｉｎｔｅｇｒａｔｅｄ　Ｓｅｒｖｉｃｅ　Ｄｉｇｉｔａｌ　Ｂｒｏａｄｃａｓｔ−Ｔｅｒｒｅｓｔｒｉａｌ）による放送番組の提供方法、および、その放送を受信する受信装置、および、その放送を送信する送信装置に関する。
【０００２】
【従来の技術】
従来、移動受信の受信状態を向上することを目的としたデジタル放送の例として、図１０のスペクトル図に示される放送番組の提供方法を用いたものがある（例えば、特許文献１参照）。図１０では、横軸４０１は周波数を表し、縦軸４０２は放送電力を表しており、上記デジタル放送の放送信号４０３を表示している。このデジタル放送は、図１０に示すように、デジタル変調された複数の搬送波からなるＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）セグメントを複数集めた地上デジタル放送の放送信号４０３によって形成されている。上記ＯＦＤＭセグメントは図中で隣接した矩形４０６，４０７，４０８から４０９等で示されている。
【０００３】
ここで、「ＯＦＤＭセグメント」とは、ＯＦＤＭ方式の放送波を形成する複数の搬送波、たとえば、地上デジタル放送であれば、１４０５個から５６１７個の搬送波による放送波全体の中での隣接する搬送波のグループを意味する。たとえば地上デジタル放送では、１放送波を１３セグメントに分割し、セグメント単位で、エラー訂正のためのデータの冗長化や各種インターリーブ処理等を別々に行うことができるように構成されている（実際には更にセグメントをまとめた３グループに対して処理を行う）。
【０００４】
上記放送信号４０３は、ＯＦＤＭセグメントを複数集めて放送信号４０３を形成するとき、各ＯＦＤＭセグメントのうちの少なくともいずれかの特定セグメントの電力を他のセグメントとは異なるように設定している。
【０００５】
つまり、上記の他のセグメントより放送電力を大きくした特定のセグメント（４０５または４０６）のみを用いて移動受信用の放送を行うことで移動受信においての受信強度を増加させて、移動しながらの受信においても受信障害を生じにくい放送の提供方法が可能となっている。
【０００６】
以降、上記のように特定のセグメントのみを用いて行う放送を「部分受信セグメントによる放送」と呼ぶ。また、特に、上記部分受信セグメントの内、１セグメントのみを受信して視聴することを目的とした放送を、以降、「１セグメント放送」と呼ぶ。上記日本方式の地上デジタル放送では、上記１セグメント放送の放送波は、放送波全体のセグメントの中央（図１０のセグメント４０５の位置）に配置される。
【０００７】
【特許文献１】
特開２０００−１０１５４２号公報
【０００８】
【発明が解決しようとする課題】
しかしながら、上記放送番組の提供方法では、送受信装置の構成が複雑となってしまうため、地上デジタル放送の規格として採用されず、実質上利用することができない。また、特に地上デジタル放送の移動受信で重要視されている上記１セグメント放送では、上記放送番組の提供方法においても、セグメント内で放送出力電力を変化させることができないため、受信電波が弱いなど受信状況が劣化した場合、映像も音声も字幕もほぼ同時に乱れてしまい視聴者が番組の進行についていけなくなるという問題を生じてしまう。
【０００９】
本発明の課題は、一時的な受信状況の劣化が生じた場合でも映像の表示を置換することを可能とする放送番組の提供方法、および、その放送番組を受信する受信装置、および、その放送番組を送信する送信装置を提供することである。
【００１０】
特に、地上テレビ放送のデジタル化は、放送局側のデジタル化に対応するための大きな設備投資が必要な割に、デジタル化による利点が少ないということが問題となっている。その中で、移動中の受信機会の増加、すなわち視聴者の視聴時間の増加は、デジタル化による利点の中で最も大きなもののひとつである。これは、現状で視聴時間が生活の中でほぼ上限にまで増加しているため、視聴時間を増加させるには、移動中の時間や、駅，停留所等の待ち時間に視聴するなどの新しい視聴機会を増加させる必要があるからである。そのため、持ち運びに適した小型受信機に適した狭帯域放送の上記部分受信セグメントによる放送や、とりわけ上記１セグメント放送が特に重要視されている。
【００１１】
そのため、移動中に受信状態の劣化が生じた場合でも、視聴者が放送番組の進行を追いかけることができるようにし、放送番組への興味を継続させることは、非常に大きな課題のひとつである。
【００１２】
【課題を解決するための手段】
上記目的を達成するため、この発明の放送番組の提供方法は、データ多重放送が可能なデジタル放送において、上記デジタル放送の放送方式で時間インターリーブ処理を行う。そして、置換可能な複数の映像データの夫々を時間的な間隔をあけて放送する。このとき、上記置換可能な複数の映像データのうちの少なくとも２つの映像データの時間的な間隔が、上記時間インターリーブ処理によって上記複数の映像データが時間軸上に拡散される時間的な長さ以上とする。
【００１３】
つまり、上記放送方式の時間インターリーブ処理によってデータが時間軸上に拡散される時間的な長さ（以降、時間インターリーブ長と呼ぶ）以上に、上記置換可能な複数の映像データの夫々が時間間隔をあけて放送番組中で放送される。
【００１４】
上記放送番組の提供方法によれば、一時的に放送電波の受信強度が弱まったり妨害波が入ったりして、上記放送方式のエラー訂正方式によってエラーが訂正しきれない場合でも、上記の時間間隔をあけて放送した置換可能な別の映像データによって置換して映像出力を行うことが可能な放送番組を提供することができる。また、上記時間間隔が時間インターリーブ長以上としていることで、上記の別の映像データで置換できる確率が向上する。
【００１５】
この場合の「置換可能な複数の映像データ」とは、本来放送される映像データと、少なくとも１つ以上の上記本来放送される映像データと映像内容が同じ別の映像データであり、ある映像データを別の映像データの代わりに置換して出力することが可能なものを意味する。
【００１６】
上記の「映像内容が同じ」とは、視聴者が見る映像内容が同じ物であり、データの多重化を行うための識別符号等の制御符号は異なっていてもよい。また、意図的に映像の色調や、解像度を微妙に変えたりするなどしても本発明の構成に含まれる。また、置換可能な映像データには、動画の画像フレームが間引かれているものが含まれていても構わないし、その間引かれる頻度が一定でなくても構わない。
【００１７】
一方、複数の映像を放送して視聴者が選択するような場合、たとえば、ドラマのストーリーを複数に分岐させて、視聴者がその一つを選択して視聴するような複数の映像データでは、ある映像データに受信障害が発生しても別のストーリーの映像データで置換することができないため、本発明には含まれない。
【００１８】
また、スポーツ中継など一方のチームの側に肩入れした映像を別に放送するなど、視聴者がその一つを選択して視聴するような放送形態は、ある映像データに受信障害が発生しても他の映像データで置換することができないため、本発明には含まれない。
【００１９】
また、この場合の「複数の映像データの夫々を時間インターリーブ長以上の時間間隔をあけて放送する」とは、たとえば、前述の時間インターリーブ処理によって、各映像データが時間軸上に拡散される時間の中央値をもって、上記複数の映像データ間での上記中央値同士の時間間隔が時間インターリーブ長以上となるように設定して、上記複数の映像データを送信することを指す。
【００２０】
あるいは、たとえば、各映像データに付随する提示時刻と、その映像データの放送時刻とのずれの時間の各映像データ間での差が、時間インターリーブ長以上となるように設定して、上記複数の映像データを送信することを指す。
【００２１】
つまり、上記置換できる複数の映像データの夫々を、上記時間インターリーブ長以上の時間間隔をあけて放送する構成とすることで、ある映像データの時間インターリーブ処理による時間軸方向での拡散の範囲が、置換できる別の映像データの時間インターリーブ処理による時間軸方向での拡散の範囲に対して重なりがなくなる。それにより、一時的に放送電波の受信強度が低下して、ある映像データの受信に障害が生じても、上記時間インターリーブ長以上の時間をずらして放送される置換可能な別の映像データには影響しない。そのため、一定の個数の置換できる映像データにおいて、受信障害の場合に映像出力を置換できる確率が大きく向上する。
【００２２】
また、上記置換可能な複数の映像データが３個以上ある場合は、その全ての映像データ間で上記時間インターリーブ長以上の時間的な間隔を設けて放送することで、より確実に受信障害の出力を置換することができるので好ましい。しかし、上記置換可能な複数の映像データの組み合わせのいずれかについて、上記時間インターリーブ長以上の時間間隔をあけて放送すればよく、必ずしも全ての置換可能な映像データを上記時間インターリーブ長以上の時間的な間隔を設けて放送する必要はない。
【００２３】
また、上記の「時間インターリーブ処理」とは、放送方式において、時間軸上で積極的にデータを拡散させる処理であり、主に、フェージングによる一時的な受信電力の低下による放送の途切れを防止する目的のものである。上記のデータを拡散させる方法は、上記の時間インターリーブ処理の他にも、バイトインターリーブ処理や、ビットインターリーブ処理によってデータの拡散が行われ、その拡散の一部は、時間軸上に広がりを持つ場合がある。本発明の時間インターリーブ長は、それらの時間軸方向への拡散の幅を含めてもよい。しかし、たとえば、日本方式の地上デジタル放送の放送方式では、それらの時間軸方向への拡散幅は、時間インターリーブ処理による拡散幅に比べて小さく、実質上、無視して考えられる。
【００２４】
また、上記の時間インターリーブ処理を用いた放送方式におけるエラー訂正では、上記時間インターリーブ長にわたって受信に障害が生じた場合は、エラー訂正ができなくなってしまう。それに対して、この発明では、置換可能な複数の映像データの夫々を上記時間インターリーブ長以上の時間間隔をあけて放送する構成により、より長い時間の受信障害においても映像を置換して出力することが可能となる。
【００２５】
また、特に視聴者の視聴時間の向上に大きく寄与する移動受信では、公衆の場での受信の機会が多い。そのため、現在の公衆の場での携帯電話の利用が電話から電子メールに利用形態を移しているのと同様に、利用者のマナー上、音声出力を制限した視聴（実際には音声を出力しないが、以降、便宜上、放送の利用を視聴と表現するものとする）が増加する。そのため、視聴者に満足できる受信障害の少ない映像を提供できなければ、視聴者の視聴時間の大幅な向上を行うことができない。そのためこの発明の構成が特に効果がある。
【００２６】
また、一実施形態の放送番組の提供方法では、上記置換可能な複数の映像データの夫々を放送する上記の時間的な間隔が１秒以上である。つまり、上記置換可能な複数の映像データの夫々が、１秒以上時間をずらして放送される。
【００２７】
上記実施形態の放送番組の提供方法によれば、移動受信において、特に映像の受信障害のない放送番組が提供できる。
【００２８】
１秒以上時間をずらすというのは、たとえば、前述の時間インターリーブ処理によって、各映像データが時間軸上に拡散される時間の中央値をもって、上記複数の映像データ間での上記中央値同士の時間間隔が１秒以上として送信することを指す。
【００２９】
あるいは、たとえば、各映像データに付随する提示時刻と、その映像データの放送時刻とのずれの時間の各映像データ間での差が、１秒以上となるように設定して送信することを指す。
【００３０】
この場合も、上記置換可能な映像データが３個以上ある場合は、その全ての置換可能な映像データ間で１秒以上の時間的な間隔を設けて放送することで、より確実に受信障害の出力を置換することができるので好ましいが、必ずしも全ての映像データ同士を１秒以上の時間的な間隔を設けて放送する必要はない。
【００３１】
上記の時間インターリーブ処理は、前述のように主にフェージングによる放送電波の受信強度の一時的な低下によるデータの欠落を補償することを目的としており、短時間の受信強度の低下を想定している。しかし、実際に放送を行ってみると、受信障害を起こしやすい条件が複数重なったり、受信位置が完全に電波的な影に入ってしまったりし、受信が途絶える機会が想定以上あった。
【００３２】
たとえば、電車やバスに乗って移動している場合では、複雑なビルの配置によってフェージングによる受信強度の低下が連続して生じたり、大きなビルの影に入ったりして電波的に影になったりして受信が途切れる場合がある。また、歩行中や、駅のホームや、バスの停留所等の待合所では、通行する乗り物や人の影響が重なり受信が途切れる場合がある。
【００３３】
しかし、上記のような環境で検討した結果、上記の受信障害は、ほとんどが１秒以上にわたって続くことがまれであることがわかった。そのため、置換可能な複数の映像データの夫々の間隔を１秒以上として放送する上記実施形態が特に効果を有する。
【００３４】
また、一実施形態の放送番組の提供方法では、上記データ多重放送が、デジタル変調された複数の搬送波からなる複数のＯＦＤＭセグメントの部分受信セグメントによる放送である。
【００３５】
つまり、置換可能な複数の映像データは、その他のデータ（例えば字幕や音声のデータ）と共にデータ多重化され、デジタル変調された複数の搬送波からなる複数のＯＦＤＭセグメントの部分受信セグメントによって放送される。ＯＦＤＭ変調方式では、他の放送法式と異なり、元々周波数帯域の一部を使用して狭帯域の放送を行うことができる利点を有する。たとえば、前述の地上デジタル放送のように、放送波の中の特定のＯＦＤＭセグメントを使用して番組を放送する部分受信セグメントによる放送が行われる場合がある。そして、移動受信では、受信装置の携帯性の制約から、この部分受信セグメントを利用する場合が多い。しかし、上記部分受信セグメントによる放送の場合、特に地上デジタル放送の規格では、映像、音声、字幕等のデータは同じエラー訂正方式、たとえば、同じ冗長度、同じ時間インターリーブ長で放送が行われるために、受信中に受信障害を生じる場合は全てが同じように受信できなくなってしまい、視聴者が番組の進行を見失いやすく、番組の視聴率が増加しない問題を生じる可能性がある。
【００３６】
上記実施形態の放送番組の提供方法によれば、上記のように映像の途切れを減少させて番組の視聴率を増加させる効果を有する。
【００３７】
また、特に、上記部分受信セグメント放送では、受信装置が小型化されて移動受信の機会が増加するので上記の問題が著しい。また、とりわけ、移動受信では、受信アンテナに十分な指向性アンテナを用いない場合が多いので、フェージングの影響がより大きくより頻繁になる傾向がある。そのため、本発明の構成による効果が特に大きい。
【００３８】
また、一実施形態の放送番組の提供方法では、上記置換可能な複数の映像データが、少なくとも１つ以上の動画よりなる映像データと、上記動画よりなる映像データより時間的に早く放送される少なくとも１つ以上の上記動画よりなる映像データの映像フレームを間引きして作成された映像データとからなる複数の映像データからなる。つまり、元の映像データから映像フレーム単位で間引きした飛び飛びの映像データを元の映像データより相対的に早く放送する。
【００３９】
複数の映像データを時間的な間隔をあけて送信する場合、置換可能な映像データの数が多いほど、あるいは時間的な間隔が長いほど受信障害によって欠落した映像データを置換することができる可能性が高くなる。一方、時間的に早く放送される映像データを保存しておくために受信装置の記憶容量を増加させる必要が生じる。
【００４０】
上記実施形態の放送番組の提供方法によれば、本構成によってデータ量の小さい間引きされた映像データを時間的に早く送信することで、受信装置に必要な記憶容量の増加を小さくすることができる利点を有する。あるいは同じ記憶量でより多くの個数の置換可能な映像データを用いて映像出力の置換を行うことができるため、受信障害によって欠落した映像データを置換することができる機会を増加させることができる。
【００４１】
上記の場合では、映像出力が飛び飛びになる場合があるが、受信障害で映像が欠落するのとは異なり、所定の時間毎に映像を更新することができるので、視聴者は更新される映像を見ながら受信障害の復旧を待つことができる。それによって使用者が番組への興味を失うことなく、視聴率の向上が望める。
【００４２】
つまり、映像データは、字幕や音声のデータと異なり映像フレームを間引いても、たとえば紙芝居のように視聴を続けることができる。特に、上記のように公衆の場では音声の出力が制限されることが多いので、特に音声のデータを置換可能な複数のデータとして送らず、上記のように間引いた映像フレームを含めて、映像データを置換可能な複数の映像データを放送する構成は、放送局、受信装置双方の負担が少ない割に上記のように視聴率を向上させる効果が大きいので特に好ましい。
【００４３】
ここで、映像データの間引きかたは、たとえば、映像フレーム単位で間引くほか、放送方式の１次パケット単位、あるいは２次パケット単位など任意の方法で間引くことが可能である。しかし、映像フレーム単位が好ましく、更には、ＭＰＥＧ−２、ＭＰＥＧ−４等の動画圧縮形式において、間引いた映像フレームのデータを利用して復号されるため、間引いたフレームなしでは復号できなくなってしまう前後の映像フレームを、あわせて間引くようにした方がより好ましい。
【００４４】
また、映像フレームが間引かれた映像データでは、視聴者は、飛び飛びの映像フレームを視聴することになる。このとき、映像フレームが間引かれた置換可能な映像データが複数ある場合には、それぞれの置換可能な映像データで、同じ映像フレームの重なりが少なくなるように間引くことが好ましい。それによって、間引かれて残った映像フレームが、映像データ間で互いに置換し合うことで上記の飛び飛びの映像フレームでの映像の更新される間隔が短くなるからである。また、この場合、間引かれた映像フレームを有する映像データ同士では、内容が同一の映像フレームを含まない場合もありうる。その場合では、平均した提示時刻と放送時刻とのずれの時間が映像データ間で時間インターリーブ長より長く設定するようにする。また、特に１秒以上長くするよう設定することが好ましい。
【００４５】
また、あるいは、映像フレームの間引きかたは、たとえば一定の間隔、あるいは、一定の規則で間引くように自動的に行うことも可能であるが、放送局側であらかじめ重要な場面を選定し、その場面を残すように間引く方法も可能である。放送局側であらかじめ重要な場面を選定し、その場面を残すように間引く方がより確実に視聴者に必要な場面を視聴させることができ、視聴率を高める放送番組とすることができる。
【００４６】
また、特に、上記部分受信セグメントによる放送、とりわけ１セグメント放送では、利用できる放送帯域が小さいため、本構成が特に適する。
【００４７】
また、一実施形態の放送番組の提供方法では、上記置換可能な複数の映像データの一部の放送を、上記一部のデータ以外の他のデータのデータ量に応じて全体のデータ量が放送帯域以下となるように制御する。つまり、放送される他のデータの量が多い場合は、上記置換可能な複数の映像データの一部を放送しないように制御する。それによって放送帯域に収まるように全体のデータ量を調節する。
【００４８】
映像データはデータ量が大きく、特に置換可能な複数の映像データを放送した場合、放送帯域の大半を占めて、番組配列情報や、番組仕様情報など、その他のデータ放送を多重することに支障が生じる場合がある。しかし、一定以上の放送帯域を確保しておいたのでは、置換可能な複数の映像データの数が減ってしまうことになる。
【００４９】
上記実施形態の放送番組の提供方法によれば、その他のデータ放送を放送するときに、置換可能な複数の映像データの一部を放送しないことで帯域を確保できるため、一定以上の放送帯域を特別に確保しておくことなく、たとえば、帯域の範囲いっぱいまで利用して、より多くの置換可能な複数の映像データを送信することが可能となる。
【００５０】
特に、部分受信セグメントによる放送、とりわけ１セグメント放送では、放送帯域が狭いので、本構成が特に適している。
【００５１】
また、一実施形態の放送番組の提供方法では、置換可能な複数の音声データの夫々を時間的な間隔をあけて放送する。このとき、上記置換可能な複数の音声データのうちの少なくとも２つの音声データの時間的な間隔が、上記時間インターリーブ処理によって上記複数の音声データが時間軸上に拡散される時間的な長さ以上とする。つまり、置換可能な複数の映像データと同じく、置換可能な複数の音声データの夫々が、時間インターリーブ長以上の時間間隔をあけて放送される。
【００５２】
上記実施形態の放送番組の提供方法によれば、映像だけでなく、音声の途切れも少なくなり、視聴者の利便性を向上させ、視聴率を効果的に向上させることができる。
【００５３】
この場合の「置換可能な複数の音声データ」とは、本来放送される音声データと、少なくとも１つ以上の上記本来放送される音声データと音声内容が同じ別の音声データであり、ある音声データを別の音声データの代わりに置換して出力することが可能なものを意味する。
【００５４】
上記の「音声内容が同じ」とは、視聴者が聴く音声内容が同じ物であり、データの多重化等を行うための識別符号等の制御符号は異なっていてもよい。また、意図的に音声の音量、音響効果を微妙に変えたり、音声の圧縮比や、ステレオ／モノラルを変えたりするなどしても本発明の構成に含まれる。
【００５５】
一方、複数の別の音声を放送して視聴者が選択するような場合、たとえば、二カ国語放送、多カ国語放送や、スポーツ中継など一方のチームの側に肩入れした解説音声を別に放送するなど、視聴者がその一つを選択して視聴することを目的とする複数の音声データは、１つの音声データに受信障害が発生しても、他の音声データで置換することができないため、本発明には含まれない。
【００５６】
また、上記実施形態では、置換可能な複数の音声データを放送するため、放送全体のデータ量が増加するため、特に置換可能な複数の映像データは、映像フレームを間引いた飛び飛びの映像データとしてデータ量を低減する構成がより好ましい。
【００５７】
また、一実施形態の放送番組の提供方法では、置換可能な複数の音声データの夫々を時間的な間隔をあけて放送すると共に、置換可能な複数の字幕データの夫々を時間的な間隔をあけて放送する。このとき、上記置換可能な複数の音声データのうちの少なくとも２つの音声データの時間的な間隔が、上記時間インターリーブ処理によって上記複数の音声データが時間軸上に拡散される時間的な長さ以上とし、上記置換可能な複数の字幕データのうちの少なくとも２つの字幕データの時間的な間隔が、上記時間インターリーブ処理によって上記複数の字幕データが時間軸上に拡散される時間的な長さ以上とする。
【００５８】
つまり、置換可能な複数の映像データと同じく、置換可能な複数の音声データの夫々が、上記時間インターリーブ長以上の時間間隔をあけて放送されると共に、置換可能な複数の字幕データの夫々が、上記時間インターリーブ長以上の時間間隔をあけて放送される。
【００５９】
上記実施形態の放送番組の提供方法によれば、映像だけでなく、音声，字幕の途切れも少なくなり、視聴者の利便性をより向上させ、視聴率を向上させることができる。
【００６０】
この場合の「置換可能な複数の字幕データ」とは、本来放送される字幕データと、少なくとも１つ以上の上記本来放送される字幕データと字幕内容が同じ別の字幕データであり、ある字幕データを別の字幕データの代わりに置換して出力することが可能なものを意味する。
【００６１】
上記の「字幕内容が同じ」とは、視聴者が見る字幕内容が同じ物であり、データの多重化等を行うための識別符号等の制御符号は異なっていてもよい。また、意図的に字幕の表記を、あるいはその一部を、たとえば、漢字、ひらがな、カタカナとするなど、あるいは字体（筆記体、行書体、ゴシック体、斜体、等）を変えたりするなどしても本発明の構成に含まれる。
【００６２】
一方、たとえば、日本語、英語、中国語、その他の外国語等のように、本来、別々の言語により視聴する目的で複数の字幕を放送する場合、つまり、二カ国語字幕、あるいは、多カ国語字幕で放送される場合もある。この場合は、ある言語の字幕の受信障害を他の言語によって置換しても一般の視聴者にとって意味をなさないため、本発明には含まれない。また、スポーツ中継など一方のチームの側に肩入れした解説字幕を別に放送するなど、視聴者がその一つを選択して視聴するような放送番組は、ある字幕データに受信障害が発生しても他の字幕データで置換することができないため、本発明には含まれない。
【００６３】
また、たとえば、低年齢用の字幕（例えば仮名を主体とした字幕）と大人用の字幕（例えば漢字主体の字幕）の場合では、大人用の字幕の受信障害を低年齢用の字幕で置換することが可能であるので本発明に含まれるが、逆に低年齢用の字幕の受信障害を大人用の字幕で置換することは、低年齢者には意味をなさないので、この発明の目的としてはあまり好ましくない。
【００６４】
また、この発明の受信装置では、データ多重放送が可能なデジタル放送において、時間的な間隔をあけて放送された置換可能な複数の映像データを含む放送を受信手段で受信して、受信された映像データを映像出力手段により出力する。そして、上記置換可能な複数の映像データのあるものに受信障害が生じた場合、上記受信障害が生じた映像データとは異なる置換可能な別の映像データによって上記映像出力手段の出力を映像置換手段で置換する。
【００６５】
つまり、映像データを含む放送は、受信手段によって受信され、映像データは、映像として、たとえばディスプレイ装置に表示される。このとき、受信障害が生じた映像データは、時間間隔をあけて放送されている置換可能な別の映像データによって置換されて出力される。
【００６６】
上記構成の受信装置によれば、一時的に放送電波の受信強度が弱まったり妨害波が入ったりして、放送規格のエラー訂正方式によってエラーが訂正しきれない場合でも、上記の時間間隔をあけて放送した置換可能な別の映像データによって置換して映像出力を行うことができる。そして、受信している複数回放送される置換可能な映像の全ての放送時刻で受信障害とならない限りは、画面上に映像が表示される。
【００６７】
そのため、受信状態が劣化した場合でも、視聴者は、番組の進行で重要な場面を見逃すことがなくなり、視聴者に連続した放送を提供することができる。
【００６８】
特に、置換可能な映像データは、時間的な間隔をあけて放送されていることにより、データの置換が効果的に行えることから、たとえば、受信装置はバッファなどの遅延手段を用いて、時間間隔をあけて放送されたデータを同期して、置換出力する構成とする。
【００６９】
また、一実施形態の受信装置では、上記置換可能な映像データの映像フレームをデータ間引き手段で間引きして、単位時間当たりのデータ量の少ない置換可能な映像データを作成する。つまり、映像データを受信後、置換可能な複数の映像データの一部の映像フレームを間引きしてデータ量の少ない置換可能な映像データを作成する。
【００７０】
複数の映像データを用いて受信障害時の置換出力を行うためには、受信装置の映像データを記憶する映像データのバッファの記憶容量が大幅に増加してしまう。
【００７１】
上記実施形態の受信装置によれば、置換可能な映像データから、映像データを間引いてデータ量を少なくした映像データを作成することで受信装置の記憶容量に応じたデータ量の少ない置換可能な映像データを作成することができる。
【００７２】
本構成では、映像出力が飛び飛びになる場合があるが、受信障害で映像が欠落するのとは異なり、たとえば所定の時間毎に映像を更新することができるので、視聴者は更新される映像を見ながら受信障害の復旧を待つことができる。それによって使用者が番組への興味を失うことなく、視聴率の向上が望める受信装置を提供することができる。
【００７３】
ここで、映像データの間引きかたは、たとえば、映像フレーム単位で間引くほか、放送方式の１次パケット単位、あるいは２次パケット単位など、任意の方法で間引くことが可能である。しかし、単位データ量当たりの映像フレーム数を多くすることが好ましく、また映像フレーム単位が好ましく、更には、ＭＰＥＧ−２、ＭＰＥＧ−４等の動画圧縮形式で間引いた映像フレームのデータを利用して復号されるため、間引いたフレームなしでは復号できなくなってしまう前後の映像フレームを、あわせて間引くようにした方が、データ量当たりの映像フレームが多くなり、より好ましい。
【００７４】
また、置換可能な複数の映像データにおいて映像データを間引く場合は、それぞれの映像データ間で、同じ映像フレームの重なりが少なくなるように間引くことが好ましい。それによって、各映像データの合計のデータ量において、単位データ量当たりの映像フレームが多くできる利点があるためである。つまり、間引かれて残った映像フレームが、映像データ間で互いに置換し合うことで上記の飛び飛びの映像フレームでの映像の更新される間隔が短くなるからである。
【００７５】
本構成は、記憶容量を小さくすることが可能であるために、特に移動受信装置に適する。
【００７６】
また、一実施形態の受信装置では、上記複数の映像データ間で、上記映像データ毎にそれぞれ付加されている提示時刻または復号時刻を比較して、各映像データの受信障害を上記映像置換手段の障害検出手段で検出する。そして、上記障害検出手段によって受信障害がないかまたは受信障害が所定頻度より少ないと判断した映像データを、上記映像置換手段の選択送出手段により上記映像出力手段に出力する。つまり、複数回放送される映像データの提示時刻または復号時刻を比較して、複数の映像データ間での違いから各映像データの受信障害の有無を検出する。
【００７７】
たとえば、別に放送された映像データに存在する、ある提示時刻または復号時刻の映像データが無ければ、その放送では、その映像データが受信障害で欠落していると判断する。そして、たとえば、受信障害のない別の置換可能な映像データを映像出力手段に出力する。
【００７８】
この場合の「提示時刻」とは、映像を出力する時刻情報としての時刻である。また、「復号時刻」とは、圧縮された映像データを復号する順序や、復号する処理の時間を考慮して復号処理を始める時間を示す情報としての時刻である。
【００７９】
上記実施形態の受信装置によれば、映像データに付加されている提示時刻または復号時刻を比較して映像データの受信障害の有無を検出することで、放送方式の規格上、特別な変更を行うことなく、複数の映像データから受信障害のない映像データ（あるいは受信障害の少ない映像データ）を選択し、障害のある映像データを、上記受信障害のない映像データ（あるいは受信障害の少ない映像データ）で置換して出力することができる。
【００８０】
また、この発明の送信装置は、映像符号化手段で映像データを符号化する。そして、第１の遅延手段で、上記映像符号化手段により符号化された映像データを遅延させる。また、上記第１の遅延手段の遅延時間よりも、放送方式の時間インターリーブ処理によって映像データが時間軸上に拡散される時間的な長さ以上短い遅延時間で、第２の遅延手段により上記映像符号化手段により符号化された映像データを遅延させる。そして、少なくとも上記第１の遅延手段と上記第２の遅延手段からの上記符号化された映像データを多重化したデータストリームをデータストリーム作成手段で作成する。そして、上記データストリームを放送手段により、データ多重放送が可能なデジタル放送として放送する。
【００８１】
つまり、映像データはまず符号化される。放送を行うためには、上記の符号化された映像データを含めて放送全体で単位時間当たりのデータ量を放送帯域にあわせたデータストリームとする必要がある。そのために、上記符号化された映像データは遅延手段によって遅延させて上記データストリーム作成手段への送出を調節することが行われる。このとき、上記第１の遅延手段の遅延時間に対して、上記第２の遅延手段の遅延時間を時間インターリーブ長以上の差だけ小さくする。なお、上記映像符号化手段により符号化され映像データは、置換可能な複数の映像データであって、そのうちの少なくとも２つの映像データの時間的な間隔が、上記第１，第２の遅延手段により時間インターリーブ長以上となるようにする。
【００８２】
上記構成の送信装置によれば、置換可能な複数の映像データの夫々を、上記時間インターリーブ長以上の時間的な間隔をあけて放送する放送番組を提供することができる。
【００８３】
【発明の実施の形態】
以下、この発明の放送番組の提供方法および受信装置および送信装置を図示の実施の形態により詳細に説明する。
【００８４】
〔第１実施形態〕
この発明の第１実施形態では、データ多重放送が可能なデジタル放送の一例としての日本方式の地上デジタル放送の伝送方式（ＢＳＴ−ＯＦＤＭ：Ｂａｎｄ　Ｓｅｇｍｅｎｔｅｄ　Ｔｒａｎｓｍｉｓｉｏｎ−Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）による放送において、本発明の放送番組の提供方法およびそれを放送するための送信装置およびその放送を受信するための受信装置の説明を行う。上記の日本方式の地上デジタル放送は、時間インターリーブ処理を行う放送方式を採用している。
【００８５】
また、特にデジタル変調された複数の搬送波からなる複数のＯＦＤＭセグメントの部分受信セグメントによる放送の一例として１セグメント放送（部分受信セグメントのうちの１セグメントのみを受信して視聴することを目的とした放送）における放送の場合について説明する。
【００８６】
図１は、この発明の第１実施形態の送信装置のブロック図を示している。また、図２は、この発明の第１実施形態の受信装置のブロック図を示している。
【００８７】
まず、全体の構成について説明する。図１は、上記のデータ多重放送が可能なデジタル放送を送信する送信装置の一例として本発明に関連する構成を中心として表記している。
【００８８】
図１に示す送信装置は、映像データを符号化する映像符号化手段の一例として符号化部１０６を有し、また、上記符号化部１０６で符号化された映像データを遅延させる第１の遅延手段の一例として遅延バッファ１１２と、遅延バッファ１１２の遅延時間よりも時間インターリーブ長以上短くした遅延時間で、上記符号化された映像データを遅延させる第２の遅延手段の一例として遅延バッファ１１５，１１６を有している。
【００８９】
また、上記送信装置は、上記遅延バッファ１１２，１１５，１１６からの上記符号化された映像データを受け取り、それらを多重化したデータストリームを作成するデータストリーム作成手段の一例としてシステム符号化多重化部１１７を有している。
【００９０】
また、上記送信装置は、データストリームを放送する放送手段の一例として、変調部１１９，送信部１２２を有している。
【００９１】
また、図２は、上記のデータ多重放送が可能なデジタル放送を受信する受信装置の一例として本発明に関連する構成を中心として表記している。
【００９２】
図２に示す受信装置は、時間的な間隔をあけて放送された置換可能な複数の映像データを含む放送を受信する受信手段の一例として、受信部２０１，復調部２０３，分離システム復号化部２０５を有している。
【００９３】
また、上記受信装置は、上記映像データを出力する映像出力手段の一例として、映像用の復号化部２２６，映像合成部２２３，ディスプレイ２２４を有している。
【００９４】
また、上記受信装置は、上記置換可能な複数の映像データのあるものに受信障害が生じた場合、上記受信障害が生じた映像データとは異なる置換可能な別の映像データによって上記映像出力手段の出力を置換する映像置換手段の一例として映像置換部２２５を有している。
【００９５】
次に、図１を用いて、放送番組の提供方法について、送信装置の処理の流れを追って説明を行う。
【００９６】
放送番組のデータは、音声用のデータ入力部１０１、字幕用のデータ入力部１０２、映像用のデータ入力部１０３よりそれぞれ供給されるものとする。
【００９７】
音声用の符号化部１０４、字幕用の符号化部１０５、映像用の符号化部１０６では、上記データ入力部１０１，１０２，１０３よりの入力データをそれぞれ符号化し、１次パケット１０７，１０８，１０９ａとして、それぞれ遅延バッファ１１０，１１１，１１２に送出する。
【００９８】
たとえば、上記音声用のデータ入力部１０１，映像用のデータ入力部１０３からのテレビ音声データやテレビ映像データは、上記符号化部１０４，１０６で、ＭＰＥＧ−２（Ｍｏｖｉｎｇ　Ｐｉｃｔｕｒｅ　Ｅｘｐｅｒｔｓ　Ｇｒｏｕｐ　Ｐｈａｓｅ　２）やＭＰＥＧ−４（Ｍｏｖｉｎｇ　Ｐｉｃｔｕｒｅ　Ｅｘｐｅｒｔｓ　Ｇｒｏｕｐ　Ｐｈａｓｅ　４）等の符号化方式により、映像フレーム毎、あるいは音声フレーム毎に符号化され、上記１次パケット１０７，１０９ａが作成される。
【００９９】
ここでは、１セグメント放送であるため、映像データの符号化にはＭＰＥＧ−４方式が用いられ、音声データの符号化にはＭＰＥＧ−２方式が用いられる。
【０１００】
ここで、「映像フレーム」とは、１画面の映像データを意味し、「音声フレーム」とは、所定時間の音声波形のデータを意味し、共に各フレーム単位で１つの１次パケットを構成している。
【０１０１】
また、上記字幕用のデータ入力部１０２よりの字幕データは、上記字幕用の符号化部１０５で、一時期に表示する字幕（以降、字幕フレームと呼ぶ）のデータをまとめて、放送規格のフォーマットに従い、文字コードの変換を行い、文字フォントや、表示位置の指定データなどと共に符号化され、上記１次パケット１０８が作成される。
【０１０２】
このとき、システムタイムクロック（ＳＴＣ：Ｓｙｓｔｅｍ　Ｔｉｍｅ　Ｃｌｏｃｋ）１１３からの時刻情報を用いて、受信装置での同期再生に必要な提示時刻（ＰＴＳ：Ｐｒｅｓｅｎｔａｔｉｏｎ　Ｔｉｍｅ　Ｓｔａｍｐ）１１４が上記各１次パケットに付加される。また、映像データでは、更に復号を行う時刻を示す復号時刻（ＤＴＳ：Ｄｅｃｏｄｉｎｇ　Ｔｉｍｅ　Ｓｔａｍｐ）が付加される。つまり、上記提示時刻や復号時刻は、上記の映像フレーム、音声フレーム、字幕フレームを視聴者へ提示するためのタイミングを示す情報の一例である。
【０１０３】
上記のＭＰＥＧ−２、ＭＰＥＧ−４、字幕データの放送規格のフォーマットや、１次パケットへの変換は、各放送方式の既存の技術であり詳細な説明は省略する。
【０１０４】
この第１実施形態では、更に、上記映像用の符号化部１０６の出力の１次パケット１０９ａを複製して、遅延バッファ１１２に対して別の１次パケットを作成し遅延バッファ１１５に送出するように構成した。
【０１０５】
また、映像データより映像データを間引く手段の一例として、映像フレーム単位で映像データを間引く間引き部１２３を有する。そして、１次パケット１０９ａを複写して、間引き部１２３で映像フレーム単位の１次パケットを間引きした映像データ（１次パケット１０９ｂ）を作成し、遅延バッファ１１６に送出するように構成した。
【０１０６】
そして、上記システム符号化多重化部１１７では、上記の各遅延バッファ１１０，１１１，１１２，１１５，１１６の１次パケットを読み出し、各１次パケットの違い、この場合、バッファ毎の違いを区別するための識別符号が付加された２次パケット（ＴＳＰ：Ｔｒａｎｓｐｏｒｔ　Ｓｔｒｅａｍ　Ｐａｃｋｅｔ）に再変換する。そして、上記２次パケットを多重化し、上記２次パケットが連続するトランスポートストリーム（ＴＳ：Ｔｒａｎｓｐｏｒｔ　Ｓｔｒｅａｍ）１１８を作成し、変調部１１９に送出する。
【０１０７】
また、上記システム符号化多重化部１１７では、図示していないが、他に番組配列情報（ＳＩ：Ｓｅｒｖｅｃｅ　Ｉｎｆｏｒｍａｔｉｏｎ）や番組仕様情報（ＰＳＩ：Ｐｒｏｇｒａｍ　Ｓｐｅｃｉｆｉｃ　Ｉｎｆｏｒｍａｔｉｏｎ）などのその他のデータ情報も符号化されて同様に多重化される。
【０１０８】
また、上記システムタイムクロック１１３からの上記時刻情報により受信時に各データの同期再生を行うためのシステムタイムクロックのリファレンス信号（ＰＣＲ：Ｐｒｏｇｒａｍ　Ｃｌｏｃｋ　Ｒｅｆｅｒｅｎｃｅ）１２０が作成され、同様に上記システム符号化多重化部１１７で多重化される。
【０１０９】
このとき、上記各遅延バッファは、上記符号化部１０４，１０５，１０６の処理時間の変動を平滑化したり、データ量の変動のある１次パケットから一定の伝送速度の上記トランスポートストリーム１１８を作成するためのデータ量の不整合によるオーバーフローやアンダーフローを防止するバッファリングの働きをしたりする。そのため、微視的には遅延バッファの遅延時間は処理によってある程度変動する。以降、遅延バッファの遅延時間は、上記の遅延時間の微視的な変動を無視できる程度に平均化した値とする。
【０１１０】
この第１実施形態では、上記時間インターリーブ長以上の時間的な間隔をあけて、上記置換可能な複数の映像データの夫々を時間間隔をあけて放送する方法の一例として、上記遅延バッファ１１６の遅延時間を上記遅延バッファ１１５の遅延時間より短く、上記遅延バッファ１１５の遅延時間を上記遅延バッファ１１２の遅延時間より短くし、各遅延バッファの遅延時間の差を上記時間インターリーブ長の２倍とするように構成している。
【０１１１】
上記各遅延バッファの遅延時間の差を上記時間インターリーブ長の２倍とすることで、１つのフェージングによる受信強度の低下の影響が別の置換可能な音声データにまで影響することをより確実に防ぐことができる。
【０１１２】
また、上記構成は、上記置換可能な複数の映像データが、少なくとも１つ以上の動画よりなる映像データと、上記動画よりなる映像データより時間的に早く放送される少なくとも１つ以上の上記動画よりなる映像データの映像フレームを間引きして作成された映像データとからなるとする一例ともなっている。つまり、動画よりなる映像データが、上記遅延バッファ１１２，１１５の１次パケットである。そして、時間的に速く放送される上記動画よりなる映像データの映像フレームを間引きして作成された映像データが上記遅延バッファ１１６の１次パケットである。
【０１１３】
そして、上記変調部１１９では、上記システム符号化多重化部１１７で作成された上記トランスポートストリーム１１８を変調し、ベースバンド信号（あるいは中間周波数信号）１２１を作成して送信部１２２に送出する。
【０１１４】
この第１実施形態の送信装置では、地上デジタル放送の伝送方式を用い、上記変調部１１９で、エラー訂正のための冗長化処理、エネルギー拡散処理、時間インターリーブ処理、周波数インターリーブ処理等のインターリーブ処理などの後、離散逆フーリエ変換やデジタルアナログ変換等を行ってベースバンド信号（あるいは中間周波数信号）１２１を作成する。
【０１１５】
そして、上記送信部１２２で、ベースバンド信号（あるいは中間周波数信号）１２１を、周波数変換器，フィルタ，アンプ等を通して高周波信号とし、アンテナより放送電波として放送する。
【０１１６】
上記システム符号化多重化部１１７での２次パケットの生成方法や上記変調部１１９や上記送信部１２２の構成は、既存の技術であり詳細は省略する。
【０１１７】
上記第１実施形態の送信装置によれば、上記遅延バッファ１１２，１１５，１１６の遅延時間の差を上記時間インターリーブ長以上にしているために、置換可能な複数の映像データの夫々を、上記時間インターリーブ長以上の時間間隔をあけて放送する放送番組を提供することが可能となる。
【０１１８】
また、上記放送番組の提供方法によれば、放送方式の時間インターリーブ長以上の時間間隔をあけて、置換可能な複数の映像データの夫々を放送するため、上記変調部１１９のエラー訂正方式によるデータの拡散が上記の置換可能な複数の映像データ間で時間的に重ならない。そのため、放送方式のエラー訂正でエラーが訂正しきれなかった場合でも、上記置換可能な複数の映像データの内の置換可能な別の映像データが正常に受信できている可能性が高く、上記のエラー訂正しきれなかった場合でも映像の表示を継続できる放送番組を提供することができる。
【０１１９】
また、上記放送番組の提供方法では、視聴者の利用状況に合わせて、放送局が上記置換可能な映像データの放送回数や、複数回放送するそれぞれの放送時間の時間間隔を簡単に調節することが可能となる利点を有する。特に放送方式の規格を変更することなく変更することができる特別の利点がある。
【０１２０】
また、この第１実施形態では、上記符号化部１０６の出力の上記１次パケット１０９ａを複製して、上記遅延バッファ１１２に対して別の置換可能な映像データの１次パケットを作成し、上記遅延バッファ１１５，１１６に送出するように構成したが、上記符号化部１０６とは別の符号化部を用いて１次パケットを作成し、遅延バッファ１１５，１１６に送出するように構成してもよい。
【０１２１】
上記のように符号化部が別の場合、置換可能な映像データ間で、同一の内容の映像データに対して、付加する提示時刻を同一にすることが好ましいが、上記提示時刻を一定時間のオフセット量だけずらして放送し、受信側でオフセット量だけ考慮して処理するように構成することもできる。
【０１２２】
また、特に、上記１次パケット１０９ｂのように間引きした置換可能な映像データを複数放送する場合は、それらの置換可能な映像データ間でできるだけ異なる映像フレームを間引くように、または、それらの置換可能な映像データ間でできるだけ異なる映像フレームが送信されるように、間引く映像フレームを制御することがより好ましい。それによって、異なる間引かれた映像データ間で相互に間引かれた映像出力の置換を行うことができる利点を有する。たとえば、図５に示すように、置換可能な複数の映像データ、この場合遅延バッファ１１５と１１６に送出される１次パケット１０９ａから映像フレームを関連付けて間引く処理部５０１を設け、それぞれの映像データで、同じ映像フレームの重なりが少なくなるように間引くよう構成した。
【０１２３】
上記それぞれの映像データで、同じ映像フレームの重なりが少なくなるように間引く一例として、たとえば、上記１次パケット１０９ａから、映像フレーム毎に交互に上記遅延バッファ１１５と１１６に送出するようにする。あるいは、上記１次パケット１０９ａから、所定の期間（例えば、０．４秒）毎の映像フレームを含む１次パケットを出力するようにし、出力周期を上記遅延バッファ１１５と１１６間で上記の期間と異なる時間（例えば、０．２秒）ずらして出力するように構成しても良い。
【０１２４】
また、間引く処理部５０１は、遅延バッファ１１５，１１６の後に配置することも可能であるし、システム符号化多重化部１１７に含めることも可能である。また、上記では間引きを行った置換可能な映像データを２回放送するように構成したが、３回以上放送するように構成することもできる。このように映像データが間引かれた置換可能な映像データが複数の場合、遅延バッファの遅延時間が短いものほど、受信装置でのバッファに保持される期間が長くなるため、間引く映像フレームを多くして受信装置での記憶容量を少なくできるように構成する方がより好ましい。
【０１２５】
次に、図２を用いて、放送番組を受信する受信装置の処理の流れを追って説明を行う。
【０１２６】
まず、受信部２０１おいて、放送電波をアンテナで受信し、チューナ，アンプ，フィルタ，周波数変換器等を通して選局した放送局の放送番組のベースバンド信号（あるいは中間周波数信号）２０２に変換する。
【０１２７】
そして、復調部２０３では、上記ベースバンド信号（あるいは中間周波数信号）２０２を復調して、２次パケット（ＴＳＰ）が連続するトランスポートストリーム（ＴＳ）２０４を再生する。
【０１２８】
この第１実施形態では、地上デジタル放送方式の受信装置として、上記復調部２０３で、上記ベースバンド信号（あるいは中間周波数信号）２０２をアナログデジタル変換、離散フーリエ変換、デインターリーブ処理、エラー訂正処理を行って２次パケットを復調する。
【０１２９】
この過程で、図１に示す送信装置の変調部１１９で作成された冗長化された符号を用いて、２次パケット単位でエラー訂正が行われる。そのため、エラーが訂正しきれなかった２次パケットは欠落することになる。
【０１３０】
次に、分離システム復号化部２０５で、上記トランスポートストリーム２０４をデータの種類毎に１次パケット２０６，２０７，２０８，２０９，２１０に分離復号し、それぞれ、音声用のデータバッファ２１１、字幕用のデータバッファ２１２、映像用のデータバッファ２１３，２１４，２１５に送出する。
【０１３１】
つまり、図１のシステム符号化多重化部１１７で、２次パケットに付加した上記識別符号によりデータを区別することで多重化されたデータを分離し、図１の遅延バッファ１１０，１１１，１１２，１１５，１１６における送信側の１次パケットに対応する１次パケットとして、上記１次パケット２０６，２０７，２０８，２０９，２１０を再生する。
【０１３２】
このとき、エラーが訂正しきれずに欠落した２次パケットから再生されるべき１次パケットは、同じく再生できずに欠落することになる。
【０１３３】
また、システムタイムクロックのリファレンス信号（ＰＣＲ）２１６も同様に復号され、システムタイムクロック再生部２１７により同期再生のためのシステムタイムクロックが再生される。
【０１３４】
そして、音声用の復号化部２１８では、上記音声用のデータバッファ２１１の１次パケットを復号して音声信号２１９とし、スピーカ２２０より出力する。
【０１３５】
また、字幕用の復号化部２２１では、上記字幕用のデータバッファ２１２の１次パケットを復号して字幕映像信号２２２とし、映像合成部２２３に送出する。
【０１３６】
また、映像合成部２２３では、複数の入力映像信号、つまり、テレビ映像信号や字幕映像信号や装置の状態を示す映像信号等を合成してディスプレイ２２４に表示する。
【０１３７】
また、映像置換部２２５では、上記映像用のデータバッファ２１３，２１４，２１５の１次パケットを読み出し、映像データの受信障害を検出し、受信障害がないかまたは受信障害が所定頻度より少ない置換可能な映像データの１次パケットを映像用の復号化部２２６に送出する。
【０１３８】
上記映像用の復号化部２２６では、放送方式のフォーマットに従い１次パケットを復号し、テレビ映像信号２２７を作成し、上記映像合成部２２３に送出する。それによって、映像がディスプレイ２２４に表示される。
【０１３９】
このとき、上記各データの復号化部２１８，２２１，２２６では、各１次パケットに付加されている提示時刻と、上記システムタイムクロック再生部２１７からの時刻情報２２８とによって出力時刻を制御することで、各復号化部２１８，２２１，２２６からの出力を同期させる。
【０１４０】
また、地上デジタル放送での映像データでは、１次パケットに付加されている復号時刻にあわせて復号処理を行い、提示時刻にあわせて出力するように処理を行う。
【０１４１】
上記の復調部２０３、分離システム復号化部２０５、および、各復号化部２１８，２２１，２２６の構成や、復調処理、分離処理、システム復号化処理、および、各データの復号処理の手順は、既存の技術であり詳細は省略する。
【０１４２】
次に、上記映像置換部２２５において映像データの受信障害を検出する方法について図６に示すフローチャートで説明する。この第１実施形態では、１次パケット中の映像データに付加される復号時刻を用いて受信障害を検出している。
【０１４３】
先ず、各置換可能な複数の映像データを有する映像用のデータバッファ２１３，２１４，２１５から、それぞれデータバッファ中で最も早い復号時刻の映像データを取得し、その中でさらに最も早い復号時刻の映像データを選出する（Ｓ１１）、この第１実施形態の場合、映像データの１次パケットは、復号時刻順に送信されてくるので、各データバッファに最も速く送出されたデータをデータバッファ間で比較することになる。このとき、たとえば、データバッファにデータが保持されていないものがあれば、最も早い復号時刻の所定時間前の時刻（つまり、表示処理の時間を考慮して復号時刻に表示が間に合う時間）まで次のステップＳ１２に進まないようにし、データバッファにデータが着信するのを待つようにすることができる。
【０１４４】
次に、ステップＳ１１で選出した映像データについて受信障害を判断する（Ｓ１２）。つまり、選出した映像データの復号時刻と同じ復号時刻の映像データは受信障害が無いと判断し、それよりも遅い復号時刻の映像データは、受信障害が発生して正常な映像データではないと判断する。当然、ステップＳ１１，Ｓ１２では、全ての映像用のデータバッファのデータが受信障害を生じてしまっている場合には、それらの中でより受信障害の少ない映像データを選択することになる。
【０１４５】
次に、上記受信障害のない映像データを映像用の復号化部２２６に送出する（Ｓ１３）。上記映像用の復号化部２２６に送出された映像データは、前述のように復号され、画面に表示される。
【０１４６】
その後、上記受信障害のなかった映像データ（送出が終了した映像データ）は破棄し、受信障害で正常な映像データでないものは、時間的に後の映像データなので、後で利用するために対応する元のデータバッファに戻す（Ｓ１４）。
【０１４７】
そして、終了の指示がなければ、ステップＳ１１に戻り、処理の終了の指示があった場合は、処理を終了する（Ｓ１５）。
【０１４８】
以上によって、各データバッファの映像データを比較して、受信障害を検出することが可能となる。そして、受信障害のない映像データを用いて画面に出力することができる。
【０１４９】
このとき、図１の映像データ（１次パケット１０９ｂ）のように映像フレーム（本構成では映像フレーム単位の１次パケット）が意図的に間引きされている場合は、間引きされたデータに相当する復号時刻を有する１次パケットは間引きによって欠落している。しかし、上記の処理では、通信障害による欠落と同様に扱うことができ、欠落していない１次パケットは、その他の１次パケットと同様に相互の受信障害時の置換出力に利用され、たとえば、間引きされた映像データだけが受信できているときには動画の動きがぎこちなくなるが、通信状況の劣化で画面が途切れるのとは異なり、所定の間隔で映像が進行していき視聴者が番組の進行から取り残されることがない。また、上記の間引きをされた映像データの場合でも、受信装置では、処理のために特別な手順を必要としない利点がある。
【０１５０】
上記のステップＳ１２において、比較する上で、復号時刻は各データバッファの複数の映像データで一致していることが好ましいが、規定の一定の間隔をあけるように、あるいは、規定の時間内で復号時刻をずらすように放送されている場合、それを考慮して比較することも可能である。
【０１５１】
また、上記で復号時刻を用いて受信障害の検出を行ったのは、映像データでは、映像フレーム単位の１次パケットに付加されている復号時刻にあわせて復号処理を行い、提示時刻にあわせて映像出力するように制御がされるためである。その処理の中で、映像フレームのあるものは前後の映像フレームのデータを用いて復号するため、送信順序と提示時刻の順序が異なり、その代わりに送信順序と復号時刻の順序が一致するので、復号時刻を用いて受信障害の検出を行うことが簡単なためである。そのため、提示時刻が、送信順になっている場合では、提示時刻を上記の復号時刻の代わりに用いて処理を行うようにする方が好ましい。
【０１５２】
このように、ステップＳ１１，Ｓ１２によって、上記複数の映像データ間で、上記映像データ毎にそれぞれ付加されている提示時刻または復号時刻を比較して、各映像データの受信障害を検出する障害検出手段が構成される。
【０１５３】
また、ステップＳ１３によって、上記障害検出手段により受信障害がないかまたは受信障害が所定頻度より少ないと判断した映像データを映像出力手段に出力する選択送出手段が構成される。
【０１５４】
また、この第１実施形態では、映像データの受信障害の検出は、上記データバッファ２１３，２１４，２１５の後で行っているが、これに限られるものではなく、たとえば、映像に復号後、各映像間で、復号時刻または提示時刻を用いて比較して受信障害を検出することもできる。しかし、復号後に行うと、復号されたデータ量の大きくなった複数の映像データを保持する容量の大きな記憶領域が必要となる。そのため復号前に置換処理を行うことがより好ましい。
【０１５５】
あるいは、上記分離システム復号化部２０５の直後で各１次パケットを、既に蓄積されている１次パケットと比較して受信障害を検出して、置換することもできる。この場合、データバッファを複数持つ必要がなくなる利点を有する。
【０１５６】
次に、受信装置の受信障害時とその復旧後の動作について説明する。
【０１５７】
ここでは、音声と映像による通常のテレビの視聴を行う場合を例としている。
【０１５８】
先ず、上記分離システム復号化部２０５は、字幕の１次パケットの分離およびシステム復号を停止し、映像と音声の１次パケットの分離およびシステム復号を行うよう設定される。これによって字幕の１次パケット２０７は出力されずに字幕出力が停止する。
【０１５９】
音声と映像の１次パケット２０６，２０８，２０９，２１０は、各バッファに出力され、上記の説明のように提示時刻に映像が上記ディスプレイ２２４に表示され、音声がスピーカ２２０から出力される。これによって、利用者はテレビ映像と音声を視聴することができる。
【０１６０】
そして、一時的に受信電波が弱くなるなどの受信障害が発生し、上記復調部２０３で行われる放送方式のエラー訂正でデータを復元できる許容量を超えると、２次パケットのあるものは欠落し、映像や音声の１次パケットが欠落する。
【０１６１】
しかし、上記映像置換部２２５では、置換可能な複数の映像データの１次パケットを用いて置換して映像データを出力するため、しばらくは、正しい１次パケットを出力することができる。
【０１６２】
移動受信では、フェージングや障害物による電波の遮蔽によって一時的に受信ができなくなる場合が多く、移動に伴って復旧するので、１次パケットの欠落はその後、ほとんどの場合１秒以内で復旧する。
【０１６３】
受信障害が復旧するまでの時間より、置換可能な複数の映像データの放送される放送時刻の間隔、すなわち、遅延バッファ１１２，１１５，１１６の遅延時間の差が大きければ、受信障害前に受信した１次パケットによって置換して正しい映像データを出力することが可能となる。
【０１６４】
上記第１実施形態の受信装置によれば、上記のように時間間隔をあけて放送された置換可能な映像データを用いて、エラー訂正しきれなかった場合でも、置換可能な別の映像で置換出力できるため、映像が途切れることが少なくなり、利用者は映像を見ながら、番組の進行を追いかけることができ、番組の進行を見失うことなく受信障害の復旧を待つことができる。
【０１６５】
〔第２実施形態〕
次に、上記第１実施形態で示した放送番組の提供方法および送信装置の異なる形態について第２実施形態として説明する。
【０１６６】
第２実施形態では、図１のシステム符号化多重化部１１７で、全体の送信データ量に応じて、放送帯域に収まる範囲内で、置換可能な映像データの放送回数を増減させるように構成している。
【０１６７】
この第２実施形態では、以下、上記第１実施形態との違いの部分についてのみ説明を行う。
【０１６８】
図１で説明すると、符号化多重化部１１７で送信データ量が多い場合は、遅延バッファ１１６から読み出した映像データを２次パケットに変換せずにデータを捨て、送信データ量が少なく放送帯域に余裕がある場合は、遅延バッファ１１６から読み出した映像データを２次パケットに変換するように構成する。
【０１６９】
上記の処理を、図４のフローチャートで説明すれば、先ず、送信データ量を算出する（Ｓ１）。この場合の送信量は、映像、音声、字幕、その他、前述の番組配列情報（ＳＩ）や番組仕様情報（ＰＳＩ）などの、上記放送回数を増減させる映像データ以外（つまり遅延バッファ１１６の１次パケット以外）のデータの合計の送信データ量を指す。
【０１７０】
次に、置換可能な映像データを追加した場合の送信データ量を算出し（Ｓ２）、放送帯域に収まるか否かを判断する（Ｓ３）。
【０１７１】
そして、上記ステップＳ３で放送帯域に収まる範囲のデータ量の場合は、置換可能な映像データを追加し（Ｓ４）、上記ステップＳ３でデータ量が放送帯域に収まらないデータ量の場合は、置換可能な映像データを追加せずに破棄する（Ｓ５）。
【０１７２】
以上を、たとえば、単位時間毎、あるいは、置換可能な映像データの１次パケットの取得毎に行う。
【０１７３】
このように、データが送信されたりされなかったりする置換可能な映像データは、結果として不定期にデータが間引かれた置換可能な映像データとなる。そのため、以上の放送を受信した場合では、置換可能な映像データのあるものは、放送帯域の混み具合によって元々欠落しているものがあることになる。しかし、欠落した置換可能な映像データは、第１実施形態で説明した受信装置において、通信障害によって置換可能な映像データが欠落したものと同様に扱うことができ、欠落していない置換可能な映像データは、他の正常に受信された映像データと同じく映像を置換出力することが可能となる。
【０１７４】
置換可能な複数の映像データを放送した場合、放送帯域の大半を占めて、番組配列情報や、番組仕様情報など、その他のデータ放送を多重することに支障が生じる場合がある。しかし、一定以上の放送帯域を確保しておいたのでは、置換可能な複数の映像データの数が減ってしまうことになる。
【０１７５】
上記第２実施形態の放送番組の提供方法および送信装置によれば、放送データの少ないときには置換可能な映像データの放送回数を増加し、放送データの多いときには置換可能な映像データの放送回数を減少するため、放送帯域をより有効に利用して映像データを置換出力することができる。
【０１７６】
また、上記ステップＳ３，Ｓ５で意図的に映像データを欠落させた場合でも、実際の通信障害と同様に扱うことができ、受信装置に特別な機構を追加する必要がない利点を有する。
【０１７７】
このように、ステップＳ１，Ｓ２，Ｓ３，Ｓ４，Ｓ５によって、上記置換可能な複数の映像データの一部の放送を、上記一部のデータ以外の他のデータのデータ量に応じて全体のデータ量が放送帯域以下となるように制御するデータ量調整手段が構成される。
【０１７８】
また、ステップＳ３で放送帯域とデータ量の比較を行う場合、放送帯域ぎりぎりまで置換可能な映像データを追加するように構成しても構わないし、総データ量が帯域よりある程度少なくなるように設定することもできる。地上デジタル放送では、総データ量が放送帯域より少ない場合は、２次パケットに自動的にダミーデータが付加されて、最終的なデータ量を一定にする様に規格化されている。
【０１７９】
〔第３実施形態〕
次に、上記第１実施形態で示した受信装置の異なる形態について第３実施形態として説明する。
【０１８０】
この第３実施形態の受信装置では、受信した個々の置換可能な複数の映像データの受信障害を検出せず、置換可能な複数の映像データを提示時刻または復号時刻に応じて、映像置換部２２５で映像用の復号化部２２６に送出するかどうかを切り替えるように構成している。
【０１８１】
この第３実施形態では、以下、上記第１実施形態との違いの部分についてのみ説明を行う。
【０１８２】
図２を用いて説明すれば、映像置換部２２５は、提示時刻または復号時刻から、まだ映像用の復号化部２２６へ送出していないと判断されるものは送出し、既に置換可能な別の映像データを送出したと判断されるものは送出しないように構成している。
【０１８３】
つまり、図７のフローチャートで説明すれば、先ず、最後に送出した映像データの復号時刻を記憶する（Ｓ２１）。つまり、最後に映像用の復号化部２２６に送出した映像データの復号時刻を記憶する。
【０１８４】
次に、各置換可能な複数の映像データの復号時刻となったものを順次取得する（Ｓ２２）。実際には、復号処理に要する時間を考慮して復号時刻より少し前に取得する様にする。つまり、各置換可能な複数の映像データを、各データバッファ２１３，２１４，２１５から順番に検索して、現時点で復号処理すべき復号時刻の映像データを取得する。
【０１８５】
次に、ステップＳ２２で取得した映像データの復号時刻と、ステップＳ２１の最後に送出した映像の復号時刻とを比較して、提示時刻が同じか否かを判断する（Ｓ２３）。
【０１８６】
ステップＳ２３で復号時刻が同じであれば、映像データを破棄する（Ｓ２４）。つまり、既に映像用の復号化部２２６に送出した映像データと同じ内容の置換可能な別の映像データであり復号が不要なため破棄する。
【０１８７】
一方、ステップＳ２３で復号時刻が異なれば、映像データを映像用の復号化部２２６に送出する（Ｓ２５）。つまり、映像出力を行う時期となっているが、まだ出力されていない映像データであり、上記映像用の復号化部２２６で復号し、映像出力を行う。
【０１８８】
ステップＳ２４，Ｓ２５の後、終了の指示がなければ、ステップＳ２１に戻り、処理の終了の指示があった場合は、処理を終了する（Ｓ２６）。そして、ステップＳ２１に戻った場合は、ステップＳ２４，Ｓ２５で送出された映像データの復号時刻が最後に送出した映像データの復号時刻として記憶されることになる。
【０１８９】
以上によって、個々の置換可能な複数の映像データの受信障害を検出する特別な機構を設けることなく、受信障害において置換可能な映像データを相互の間で置換して画面に出力することができる。
【０１９０】
このように、ステップＳ２１，Ｓ２２，Ｓ２３，Ｓ２４，Ｓ２５によって、上記置換可能な複数の映像データを置換可能な映像データが重複しないよう選別して送出する映像データ送出手段が構成される。
【０１９１】
上記第３実施形態によれば、受信障害がない場合は、置換可能な複数の映像データは、最初のもの以外は次々に破棄される。そして、ある映像データに受信障害が生じた場合は、受信障害が生じていない別の置換可能な映像データで置換されて映像データが送出される。つまり、破棄されるデータの個数が減るだけで、置換可能な映像データの全てが受信障害となるまでは正しく映像データの送出が行われ、映像出力が行われる。
【０１９２】
〔第４実施形態〕
次に、上記第１実施形態で示した受信装置の異なる形態について第４実施形態として説明する。
【０１９３】
この第４実施形態の受信装置では、受信した置換可能な複数の映像データの一部を、映像データの映像フレームを間引きしてデータ量の少ない置換可能な映像データとする構成としている。
【０１９４】
この第４実施形態では、以下、上記第１実施形態との違いの部分についてのみ説明を行う。
【０１９５】
図３で説明すれば、上記置換可能な映像データの映像フレームを間引きして単位時間当たりのデータ量の少ない置換可能な映像データを作成する、データ間引き手段の一例として、データ間引き部３０１，３０２を有する。
【０１９６】
そして、上記分離システム復号化部２０５からの置換可能な映像データの１次パケット２０９，２１０を、映像用のデータバッファ２１４，２１５に送出する前にデータ間引き部３０１，３０２によって映像フレーム単位、あるいは、１次パケット単位でデータを間引いて、データ量を低減させた映像データによる１次パケット３０３，３０４とするように構成している。
【０１９７】
また、映像データの符号化復号化方式には、前述のように前後の映像フレームのデータを利用して映像フレームを符号化あるいは復号化する場合がある。そのため、図３のデータの間引きの処理を行うデータ間引き部３０１，３０２で映像フレームを間引く場合は、間引く映像フレームを用いて復号することが必要な他の映像フレームをあわせて間引くように構成することがより好ましい。
【０１９８】
上記第４実施形態によって、映像フレームを間引くことでデータ量が低減できるので、映像用のデータバッファ２１４，２１５の記憶容量を低減することができる。あるいは、一定の記憶容量で、より多くの置換可能な映像データを扱うことができるので、映像出力の置換を行うことができる機会が増加する。
【０１９９】
この場合も、送信装置での間引き処理と同様に、任意の間引きかたが可能ではあるが、映像用のデータバッファ２１４，２１５の遅延時間の大きいものをより多く間引くようにした方が少ない記憶容量で、間引かれた後の、置換可能な複数の映像データ間で、相互に映像フレームが置換できるので好ましい。
【０２００】
また、特に、間引きした映像データを置換可能な映像データとして複数作成する場合は、それらの置換可能な映像データ間でできるだけ異なる映像フレームを間引くように、または、それらの置換可能な映像データ間でできるだけ異なる映像フレームが残るように、間引く映像フレームを制御することがより好ましい。たとえば、フレーム毎に異なる置換可能な映像データから交互にフレームを間引くようにする。あるいは、各置換可能な映像データから、所定の期間（例えば０．４秒）毎に映像フレームの１次パケットを出力するようにし、出力周期を各置換可能な映像データ間で上記の期間と異なる時間（例えば０．２秒）ずらして出力するように構成しても良い。これらの処理を、たとえば図３のデータの間引きの処理を行うデータ間引き部３０１，３０２で相互に連携して処理を行う。
【０２０１】
それによって、異なる間引かれた映像データ間で相互に間引かれた映像出力の置換を行うことができる利点を有する。
【０２０２】
〔第５実施形態〕
次に、この発明の第５実施形態では、第１実施形態と同じく、データ多重放送が可能なデジタル放送の一例としての日本方式の地上デジタル放送の伝送方式による放送において、データ多重放送が可能なデジタル放送を送信する送信装置および受信装置の一例について説明する。この第５実施形態の送信装置は、置換可能な複数の映像データに加えて、置換可能な複数の音声データの夫々を時間インターリーブ長以上の時間間隔をあけて放送する構成をしている。
【０２０３】
この第５実施形態では、以下、上記第１実施形態との違いの部分についてのみ説明を行う。
【０２０４】
図８は、この発明の第５実施形態の送信装置のブロック図の一部であり、図１の送信装置と一部が異なる部分を示しており、それ以外の部分は図１と同じであり省略している。また、図９は、この発明の第５実施形態の受信装置のブロック図の一部であり、図２の受信装置と一部が異なる部分を示しており、それ以外の部分は図２と同じであり省略している。なお、図８，図９において、図１，図２と同一の構成部は同一参照番号を付している。
【０２０５】
まず、全体の構成について説明する。
【０２０６】
図８に示す送信装置は、音声データを符号化する音声符号化手段の一例として符号化部１０４を有し、また、上記符号化部１０４により符号化された音声データを遅延させる遅延バッファ１１０と、上記音声データを遅延させる遅延バッファ１１０の遅延時間よりも時間インターリーブ長以上短くした遅延時間で、上記符号化された音声データを遅延させる遅延バッファ９０１を有している。
【０２０７】
また、上記送信装置は、上記音声データを遅延させる遅延バッファ１１０，９０１からの上記符号化された音声データを受け取り、それらを多重化したデータストリームを作成するデータストリーム作成手段の一例としてシステム符号化多重化部１１７を有している。
【０２０８】
また、図９に示す受信装置は、上記音声データを出力する音声出力手段の一例として、音声用の復号化部２１８，スピーカ２２０を有している。
【０２０９】
また、上記受信装置は、上記置換可能な複数の音声データのあるものに受信障害が生じた場合、上記受信障害が生じた音声データとは異なる置換可能な別の音声データによって上記音声出力手段の出力を置換する音声置換手段の一例として音声置換部９０４を有している。
【０２１０】
また、図９では省略しているが、上記受信装置は、時間的な間隔をあけて放送された置換可能な複数の音声データを含む放送を受信する受信手段の一例として、図２に示す受信部２０１，復調部２０３，分離システム復号化部２０５を有している。
【０２１１】
次に、図８を用いて、放送番組の提供方法について、送信装置の処理の流れを追って説明を行う。
【０２１２】
放送番組のデータが、音声用のデータ入力部１０１，字幕用のデータ入力部１０２，映像用のデータ入力部１０３よりそれぞれ供給され、符号化部１０４，１０５，１０６でそれぞれ符号化し、１次パケット１０７，１０８，１０９ａとして、それぞれ遅延バッファ１１０，１１１，１１２に送出するのは第１実施形態と同じである。
【０２１３】
この第５実施形態では、更に、上記音声データ符号化部１０４の出力の１次パケット１０７を複製して別の１次パケットを作成し、遅延バッファ１１０と異なる遅延バッファ９０１に送出するように構成した。つまり、置換可能な複数の音声データの一例として同じ音声データの内容の１次パケットを複数の遅延バッファ１１０，９０１に送るように構成している。
【０２１４】
この第５実施形態では、また、上記映像データ符号化部１０６の出力の１次パケット１０９ａを複製したものは、第１実施形態とは異なって、遅延バッファ１１５のみに送出するように構成した。つまり、置換可能な複数の映像データの一例として同じ映像データの内容の１次パケットを複数の遅延バッファ１１２，１１５の２箇所に送るように構成している。
【０２１５】
そして、上記システム符号化多重化部１１７では、上記の各遅延バッファ１１０，９０１，１１１，１１２，１１５の１次パケットを読み出し、各１次パケットの違い、この場合、バッファ毎の違いを区別するための識別符号が付加された２次パケット（ＴＳＰ）に再変換する。そして、上記２次パケットを多重化し、上記２次パケットが連続するトランスポートストリーム（ＴＳ）１１８（図１に示す）を作成し、変調部１１９（図１に示す）に送出する。
【０２１６】
この第５実施形態では、上記時間インターリーブ長以上の時間的な間隔をあけて、上記置換可能な複数の音声データの夫々を時間間隔をあけて放送する方法の一例として、上記遅延バッファ９０１の遅延時間を上記遅延バッファ１１０の遅延時間より短くし、各遅延バッファの遅延時間の差を上記時間インターリーブ長の２倍とするように構成している。
【０２１７】
以降は、第１実施形態と同様に処理されて放送電波として放送される。
【０２１８】
次に、図９を用いて、放送番組を受信する受信装置の処理の流れを追って説明を行う。
【０２１９】
放送電波をアンテナで受信し、選局した放送局の放送番組のベースバンド信号（あるいは中間周波数信号）２０２（図２に示す）に変換し、復調部２０３（図２に示す）で２次パケット（ＴＳＰ）が連続するトランスポートストリーム（ＴＳ）２０４（図２に示す）を再生するのは、第１実施形態の図２における処理と同じである。
【０２２０】
次に、分離システム復号化部２０５で、上記トランスポートストリーム２０４をデータの種類毎に１次パケット２０６，９０２，２０７，２０８，２０９に分離復号し、それぞれ、音声用のデータバッファ２１１，９０３、字幕用のデータバッファ２１２、映像用のデータバッファ２１３，２１４に送出する。
【０２２１】
つまり、図８のシステム符号化多重化部１１７で、２次パケットに付加した上記識別符号によりデータを区別することで多重化されたデータを分離し、図８の遅延バッファ１１０，９０１，１１１，１１２，１１５における送信側の１次パケットに対応する１次パケットとして、上記１次パケット２０６，９０２，２０７，２０８，２０９を再生する。
【０２２２】
この第５実施形態では、音声置換部９０４で、上記音声用のデータバッファ２１１，９０３の１次パケットを読み出し、音声データの受信障害を検出し、受信障害がないかまたは受信障害が所定頻度より少ない置換可能な音声データの１次パケットを音声用の復号化部２１８に送出する。
【０２２３】
また、第５実施形態では、映像置換部２２５で、上記映像用のデータバッファ２１３，２１４の１次パケットを読み出し、映像データの受信障害を検出し、受信障害がないかまたは受信障害が所定頻度より少ない置換可能な映像データの１次パケットを映像用の復号化部２２６に送出する。
【０２２４】
それによって、映像がディスプレイ２２４に表示され、音声がスピーカ２２０から出力される。
【０２２５】
上記音声置換部９０４で、受信障害がないかまたは受信障害が所定頻度より少ない置換可能な音声データの１次パケットを音声用の復号化部２１８に送出する方法は、第１実施形態で映像データの復号時刻を比較して映像データの受信障害を検出した方法と同じ方法を用いることができる。また、この場合、音声データは提示時刻の順に放送されるために、上記第１実施形態での復号時刻の代りに提示時刻を用いることがより好ましい。
【０２２６】
つまり、各音声用のデータバッファ２１１，９０３の音声データの復号時刻を比較して音声データの受信障害を検出する。
【０２２７】
上記第５実施形態の送信装置によれば、上記遅延バッファ１１１，９０１の遅延時間の差を上記時間インターリーブ長以上にしているために、置換可能な複数の映像データのほかに、置換可能な複数の音声データの夫々を、上記時間インターリーブ長以上の時間間隔をあけて放送する放送番組を提供することが可能となる。
【０２２８】
また、上記放送番組の提供方法によれば、放送方式の時間インターリーブ長以上の時間間隔をあけて、置換可能な複数の映像データおよび置換可能な複数の音声データを放送するため、変調部１１９（図１に示す）のエラー訂正方式によるデータの拡散が上記の置換可能な複数の映像データ間だけでなく、置換可能な複数の音声データ間でも時間的に重ならない。そのため、放送方式のエラー訂正でエラーが訂正しきれなかった場合でも、上記置換可能な複数の音声データの内の置換可能な別の音声データが正常に受信できている可能性が高く、上記のエラー訂正しきれなかった場合でも音声と映像の表示を継続できる放送番組を提供することができる。
【０２２９】
また、上記放送番組の提供方法では、視聴者の利用状況に合わせて、放送局が上記置換可能な音声データの放送回数や、複数回放送するそれぞれの放送時間の時間間隔を簡単に調節することが可能となる利点を有する。特に放送方式の規格を変更することなく変更することができる特別の利点がある。
【０２３０】
上記第５実施形態の受信装置によれば、エラー訂正しきれなかった場合でも、置換可能な別の映像や置換可能な別の音声で置換出力できるため、映像や音声が途切れることが少なくなり、利用者は映像と音声を見ながら、番組の進行を追いかけることができ、番組の進行を見失うことなく受信障害の復旧を待つことができる。
【０２３１】
〔第６実施形態〕
次に、この発明の第６実施形態では、第１実施形態と同じく、データ多重放送が可能なデジタル放送の一例としての日本方式の地上デジタル放送の伝送方式による放送において、データ多重放送が可能なデジタル放送を送信する送信装置および受信装置の一例について説明する。この第６実施形態の送信装置は、置換可能な複数の映像データに加えて、置換可能な複数の字幕データの夫々を時間インターリーブ長以上の時間間隔をあけて放送し、さらに置換可能な複数の音声データの夫々を時間インターリーブ長以上の時間間隔をあけて放送する構成をしている。
【０２３２】
この第６実施形態では、以下、上記第１実施形態との違いの部分についてのみ説明を行う。
【０２３３】
図１０は、この発明の第６実施形態の送信装置のブロック図の一部であり、図１の送信装置と一部が異なる部分を示しており、それ以外の部分は図１と同じであり省略している。また、図１１は、この発明の第６実施形態の受信装置のブロック図の一部であり、図２の受信装置と一部が異なる部分を示しており、それ以外の部分は図２と同じであり省略している。なお、図１０，図１１において、図１，図２と同一の構成部は同一参照番号を付している。
【０２３４】
まず、全体の構成について説明する。
【０２３５】
図１０に示す送信装置は、字幕データを符号化する字幕符号化手段の一例として符号化部１０５を有し、また、上記符号化部１０５により符号化された字幕データを遅延させる遅延バッファ１１１と、上記字幕データを遅延させる遅延バッファ１１１の遅延時間よりも時間インターリーブ長以上短くした遅延時間で、上記符号化された字幕データを遅延させる遅延バッファ９１１を有している。
【０２３６】
また、上記送信装置は、上記字幕データを遅延させる遅延バッファ１１１と上記字幕データを遅延させる遅延バッファ９１１からの上記符号化された字幕データを受け取り、それらを多重化したデータストリームを作成するデータストリーム作成手段の一例としてシステム符号化多重化部１１７を有している。
【０２３７】
また、図１１に示す受信装置は、上記字幕データを出力する字幕出力手段の一例として、字幕用の復号化部２２１，映像合成部２２３，ディスプレイ２２４を有している。
【０２３８】
また、上記受信装置は、上記置換可能な複数の字幕データのあるものに受信障害が生じた場合、上記受信障害が生じた字幕データとは異なる置換可能な別の字幕データによって上記字幕出力手段の出力を置換する字幕置換手段の一例として字幕置換部９１４を有している。
【０２３９】
また、図１１では省略しているが、上記受信装置は、時間的な間隔をあけて放送された置換可能な複数の字幕データを含む放送を受信する受信手段の一例として、図２に示す受信部２０１，復調部２０３，分離システム復号化部２０５を有している。
【０２４０】
次に、図１０を用いて、放送番組の提供方法について、送信装置の処理の流れを追って説明を行う。
【０２４１】
放送番組のデータが、音声用のデータ入力部１０１，字幕用のデータ入力部１０２，映像用のデータ入力部１０３よりそれぞれ供給され、符号化部１０４，１０５，１０６でそれぞれ符号化し、１次パケット１０７，１０８，１０９として、それぞれ遅延バッファ１１０，１１１，１１２に送出するのは第５実施形態と同じである。
【０２４２】
この第６実施形態では、更に、上記字幕データ符号化部１０５の出力の１次パケット１０８を複製して別の１次パケットを作成し、遅延バッファ１１１と異なる遅延バッファ９１１に送出するように構成した。つまり、置換可能な複数の字幕データの一例として同じ字幕データの内容の１次パケットを複数の遅延バッファ１１１，９１１に送るように構成している。
【０２４３】
そして、上記システム符号化多重化部１１７では、上記の各遅延バッファ１１０，９０１，１１１，９１１，１１２，１１５の１次パケットを読み出し、各１次パケットの違い、この場合、バッファ毎の違いを区別するための識別符号が付加された２次パケット（ＴＳＰ）に再変換する。そして、上記２次パケットを多重化し、上記２次パケットが連続するトランスポートストリーム（ＴＳ）１１８を作成し、変調部１１９に送出する。
【０２４４】
この第６実施形態では、上記時間インターリーブ長以上の時間的な間隔をあけて、上記置換可能な複数の字幕データの夫々を時間間隔あけて放送する方法の一例として、上記遅延バッファ９１１の遅延時間を上記遅延バッファ１１１の遅延時間より短くし、各遅延バッファの遅延時間の差を上記時間インターリーブ長の２倍とするように構成している。
【０２４５】
以降は、第１実施形態と同様に処理されて放送電波として放送される。
【０２４６】
次に、図１１を用いて、放送番組を受信する受信装置の処理の流れを追って説明を行う。
【０２４７】
放送電波をアンテナで受信し、選局した放送局の放送番組のベースバンド信号（あるいは中間周波数信号）２０２に変換し、復調部２０３で２次パケット（ＴＳＰ）が連続するトランスポートストリーム（ＴＳ）２０４を再生するのは第１実施形態の図２における処理と同じである。
【０２４８】
次に、分離システム復号化部２０５で、上記トランスポートストリーム２０４をデータの種類毎に１次パケット２０６，９０２，２０７，９１２，２０８，２０９に分離復号し、それぞれ、音声用のデータバッファ２１１，９０３、字幕用のデータバッファ２１２，９１３、映像用のデータバッファ２１３，２１４に送出する。
【０２４９】
つまり、図１０のシステム符号化多重化部１１７で、２次パケットに付加した上記識別符号によりデータを区別することで多重化されたデータを分離し、図１０の遅延バッファ１１０，９０１，１１１，９１１，１１２，１１５における送信側の１次パケットに対応する１次パケットとして、上記１次パケット２０６，９０２，２０７，９１２，２０８，２０９を再生する。
【０２５０】
この第６実施形態では、字幕置換部９１４で、上記字幕用のデータバッファ２１２，９１３の１次パケットを読み出し、字幕データの受信障害を検出し、受信障害がないかまたは受信障害が所定頻度より少ない置換可能な字幕データの１次パケットを字幕用の復号化部２２１に送出する。
【０２５１】
そして、字幕用の復号化部２２１では、上記字幕置換部９１４からの１次パケットを復号して字幕映像信号２２２とし、映像合成部２２３に送出する。
【０２５２】
また、上記映像用の復号化部２２６では、上記映像置換部２２５からの１次パケットを復号してテレビ映像信号２２７を作成し、上記映像合成部２２３に送出する。
【０２５３】
それによって、映像と字幕がディスプレイ２２４に表示される。
【０２５４】
上記字幕置換部９１４で、受信障害がないかまたは受信障害が所定頻度より少ない置換可能な字幕データの１次パケットを字幕用の復号化部２２１に送出する方法は、上記第１実施形態で映像データの復号時刻を比較して映像データの受信障害を検出した方法と同じ方法を用いることができる。また、この場合、字幕データは提示時刻の順に放送されるために、上記第１実施形態での復号時刻の代りに提示時刻を用いることがより好ましい。
【０２５５】
つまり、各字幕用のデータバッファの字幕データの復号時刻を比較して字幕データの受信障害を検出する。
【０２５６】
上記第６実施形態の送信装置によれば、上記遅延バッファ１１１，９１１の遅延時間の差を上記時間インターリーブ長以上にしているために、置換可能な複数の映像データ、音声データのほかに、置換可能な複数の字幕データの夫々を、上記時間インターリーブ長以上の時間間隔をあけて放送する放送番組を提供することが可能となる。
【０２５７】
また、上記第６実施形態の放送番組の提供方法によれば、放送方式の時間インターリーブ長以上の時間間隔をあけて、置換可能な複数の映像データおよび置換可能な複数の音声データおよび置換可能な複数の字幕データを放送するため、変調部１１９（図１に示す）のエラー訂正方式によるデータの拡散が上記の置換可能な複数の映像データ間や、置換可能な複数の音声データ間だけでなく、置換可能な複数の字幕データ間でも時間的に重ならない。そのため、放送方式のエラー訂正でエラーが訂正しきれなかった場合でも、上記置換可能な複数の字幕データの内の置換可能な別の字幕データが正常に受信できている可能性が高く、上記のエラー訂正しきれなかった場合でも映像と音声と字幕の表示を継続できる放送番組を提供することができる。
【０２５８】
また、上記放送番組の提供方法では、視聴者の利用状況に合わせて、放送局が上記置換可能な字幕データの放送回数や、複数回放送するそれぞれの放送時間の時間間隔を簡単に調節することが可能となる利点を有する。特に放送方式の規格を変更することなく変更することができる特別の利点がある。
【０２５９】
上記第６実施形態の受信装置によれば、エラー訂正しきれなかった場合でも、置換可能な別の映像や置換可能な別の音声や置換可能な別の字幕で置換出力できるため、映像や音声や字幕が途切れることが少なくなり、利用者は映像と音声と字幕を見ながら、番組の進行を追いかけることができ、番組の進行を見失うことなく受信障害の復旧を待つことができる。
【０２６０】
また、上記の第１実施形態、第５実施形態、第６実施形態では、置換可能な複数の映像データを放送する時間間隔を時間インターリーブ長の２倍としているが、時間インターリーブ長以上であればよく、より好ましくは１秒以上とする。これは、実際には、駅のホームや、バスの停留所等の待合所や、電車での移動中での受信障害が１秒弱にわたって続くことがあることが多いためである。しかし、待合所などでは人や車の移動によって、また、電車やバスなどの移動車両中では車両の移動によって、受信状態が刻々変化し、実際に利用してみると受信障害が生じても１秒程度で回復する場合がほとんどであるためである。また、より好ましくは、上記の遅延時間の間隔はその倍の２秒以上とすることで、都市近郊の複雑な地形で受信状況が劣化した場合でもより確実に別の時刻に放送された置換可能な映像データで置換が可能となる。
【０２６１】
また、受信装置のバッファを必要以上大きくしないため、置換可能な複数の映像データの夫々を時間間隔あけて放送するそれぞれの時刻の間隔、すなわち上記の遅延時間の間隔は１分以下にすることが好ましい。また、この遅延時間の値が大きいと提示時刻とデータが送信される時刻との差が大きくなり、電源を入れた後や、チャンネルを変えたあとで映像出力の置換が行える状態となるまでの時間が大きくなるので、より好ましくは１５秒以下にすることが好ましい。
【０２６２】
これは、放送番組中のコマーシャルのほとんどが１５秒単位で編成されているように、視聴者が場面をおおよそ理解するのに必要な時間である。そのため、反対に、視聴者は電源を入れたり、チャンネルを変えたりした後、１５秒程度は、番組内容に必ずしもついていっていないため、放送が途切れてもあまり気にならない。それに対して、１５秒を過ぎると、番組内容を把握し、番組を楽しむ姿勢になっているため、放送が途切れた場合、満足感を得られない場合が多い。そのため、１５秒以内で上記のようにデータの置換が行える状態とすることが好ましい。
【０２６３】
また、上記第１実施形態では、送信された置換可能な複数の映像として、本来の映像データ（遅延バッファ１１２に貯えられるデータに相当）に対して、別々の置換可能な映像データ（遅延バッファ１１５，１１６に貯えられるデータに相当）を２回放送して、合計３回置換可能な映像データを放送するように構成したが、第５実施形態のように別の置換可能な映像データを１回放送して、合計２回置換可能な映像データを放送するように構成することもできる。あるいは、別の置換可能な映像データを３回以上放送して、合計４回以上の置換可能な映像データを放送するように構成することもできる。
【０２６４】
また、上記第１実施形態では、本来の映像データ（遅延バッファ１１２に貯えられるデータに相当）に対して、別の置換可能なの映像データ（遅延バッファ１１５に貯えられるデータに相当）と、また別の置換可能な映像フレームを間引きしてデータ量を低減させた映像データ（遅延バッファ１１６に貯えられるデータに相当）とを放送するように構成したが、別の置換可能なの映像データ（遅延バッファ１１５に貯えられるデータに相当）と、また別の置換可能な映像フレームを間引きしてデータ量を低減させた映像データ（遅延バッファ１１６に貯えられるデータに相当）はそれぞれ更に多くの回数放送することもできるし、間引きしていない映像データのみ、あるいは間引きした映像データのみとすることもできる。
【０２６５】
また、上記の第１実施形態、第３実施形態、第４実施形態、第５実施形態、第６実施形態では、送信された置換可能な複数の映像の全てを用いて、受信障害時に映像出力を置換出力するように構成しているが、本発明はこの構成に限られるものではなく、上記放送された置換可能な複数の映像データの一部のみを用いて、受信装置において受信障害の映像データの置換出力を行うこともできる。
【０２６６】
つまり、放送局で上記置換可能な映像データとして、多めの置換可能な複数の映像データを放送しておき、受信装置の性能に応じて放送された置換可能な複数の映像データの一部を使用して、受信障害時の置換出力を行うように構成する。
【０２６７】
特に移動受信を行う場合、受信装置は映像用のデータバッファの容量や処理速度の面で制限があるので、性能に応じて置換可能な映像データの一部を使用する構成が適している。この場合、図１の遅延バッファの遅延時間が大きい映像データの置換可能な映像データから順に用いるようにすることで、受信装置の記憶容量を低減させることができる。
【０２６８】
あるいは、置換可能な複数の映像データの存在を視聴者に提示して、視聴者にその中から置換出力に使用する置換可能な複数の映像データを選択するようにすることもできる。あるいはまた、自動的に置換可能な複数の映像データの複数の組み合わせを順番に選択して、それぞれの置換可能な複数の映像データの組み合わせで置換処理が行われる頻度を算出し、置換処理が行われる頻度の大きい置換可能な複数の映像データの組み合わせを採用するように構成することもできる。
【０２６９】
また、上記の第１実施形態から第６実施形態では、放送方式として、地上デジタル放送の規格を用いたが、放送方式は地上デジタル放送の規格に限られるものではなく、その他の時間インターリーブ処理を行う規格のデータ多重放送が可能なデジタル放送に適用することが可能である。つまり、日本の地上デジタル放送方式のように、移動受信に優れた時間インターリーブ処理を行う方式と組み合わせていることで、少ない個数の置換可能な複数の映像データで、より効果的に置換して正しい映像データを出力することが可能となっている。これは、時間インターリーブ処理により、ほとんどのフェージングによる受信障害がエラー訂正されるため、エラー訂正しきれなかった受信障害の頻度が小さくなり、時間インターリーブ長より時間をあけて放送した置換可能な映像データが同時に受信障害となることが確率的に少なくなるためである。
【０２７０】
デジタル放送の規格の放送方式では一般に、映像、音声、字幕等のデータは、パリティを付加するなど冗長化され、周波数軸上や時間軸上でインターリーブ処理によって拡散される。それによって、部分的、あるいは一時的に電波の受信が途切れた場合でも、受信装置でエラー訂正を行い正しいデータを出力することができるように構成されている。
【０２７１】
本発明の実施形態における置換可能な複数の映像データの夫々を放送する構成は正しいデータを視聴者に提供する面では同じ目的を有するが、上記の放送方式でのパリティの付加等のエラー訂正のための処理と比べると、時間インターリーブ処理が、放送方式すなわち、送受信装置に密接に関連して構成され規格で決められているのに対して、本発明は番組の提供方法として構成されていることが最も大きな違いである。そのため、番組放送の送受信装置に大きな特別な変更を行うことなく、また、本構成を用いない放送番組と共存することが可能である利点を有する。
【０２７２】
つまり、本発明の実施の形態では、１次パケットの作成時点で置換可能な複数の映像データを作成するか、または、１次パケットの複製によって置換可能な複数の映像データを作成し、それらの１次パケットを２次パケットに再構成して多重化している。この構成により、放送方式の規格の変更を行うことなく置換可能な複数の映像データを放送することができる。すなわち、放送方式では、２次パケットの連続した２次パケットストリームを符号化，変調して放送するので、本発明の構成の１次パケットの中身は、放送方式としては一定の規格にさえ入っていれば放送規格の変更ではなく、番組編成の段階での編集で可能となる。
【０２７３】
そのため、置換可能な映像データは、上記の受信障害の置換方法に対応していない受信機からは、単なる重複したデータの放送であって、受信に障害を与えない。これは、たとえば、選択可能な番組の映像と同時に放送される天気予報の情報番組の映像と同様に扱われることになる。
【０２７４】
たとえば、受信障害の置換方法に対応した受信機には、置換可能な複数の映像データの存在を、上記の番組配列情報（ＳＩ）や番組仕様情報（ＰＳＩ）で通知して、受信機側で自動的に受信障害での置換出力を開始するように構成してもよい。
【０２７５】
【発明の効果】
以上より明らかなように、この発明の放送番組の提供方法によれば、放送規格の伝送方式のエラー訂正方式によってエラー訂正ができなかった一時的な受信状況の劣化の際でも、映像データを、別の置換可能な映像データで置換して出力することができる放送番組を提供することが可能となる。
【０２７６】
また、この発明の受信装置によれば、上記放送番組を受信し、放送の伝送方式のエラー訂正方式規格によってエラー訂正ができなかった一時的な受信状況の劣化の際でも、映像データを、別の置換可能な映像データで置換して出力することができる。
【０２７７】
また、この発明の送信装置によれば、置換可能な複数の映像データの夫々を、放送規格の時間インターリーブ処理以上の時間的な間隔をあけて放送することができる。
【図面の簡単な説明】
【図１】図１は本発明の第１実施形態の放送番組の提供方法を用いた送信装置のブロック図である。
【図２】図２は上記第１実施形態の受信装置のブロック図である。
【図３】図３は本発明の第４実施形態の放送番組の提供方法を用いた受信装置のブロック図である。
【図４】図４は本発明の第２実施形態の放送番組の提供方法を用いた送信装置の置換可能な映像データの放送回数を変化させる構成を説明するためのフローチャートである。
【図５】図５は上記第１実施形態の送信装置の映像フレームを間引く構成を説明するための図である。
【図６】図６は上記第１実施形態の受信装置の受信障害を検出する方法を説明するためのフローチャートである。
【図７】図７はこの発明の第３実施形態の受信装置の受信障害時に映像データを置換する別の構成を説明するためのフローチャートである。
【図８】図８はこの発明の第５実施形態の放送番組の提供方法を用いた送信装置のブロック図である。
【図９】図９は上記第５実施形態の受信装置のブロック図である。
【図１０】図１０は本発明の第６実施形態の放送番組の提供方法を用いた送信装置のブロック図である。
【図１１】図１１は上記第６実施形態の受信装置のブロック図である。
【図１２】図１２は従来の放送番組の提供方法を説明するための図である。
【符号の説明】
１０１，１０２，１０３…データ入力部、
１０４，１０５，１０６…符号化部、
１０７，１０８，１０９ａ，１０９ｂ…１次パケット、
１１３…システムタイムクロック、
１１４…提示時刻、
１１０，１１１，１１２，１１５，１１６，９０１，９１１…各遅延バッファ、
１１７…システム符号化多重化部、
１１８…トランスポートストリーム、
１１９…変調部、
１２０…システムタイムクロックのリファレンス信号、
１２１…ベースバンド信号（あるいは中間周波数信号）、
１２２…送信部、
１２３，３０１，３０２…間引き部
２０１…受信部、
２０２…ベースバンド信号（あるいは中間周波数信号）、
２０３…復調部、
２０４…トランスポートストリーム、
２０５…分離システム復号化部、
２０６，２０７，２０８，２０９，２１０，９０２，９１２…１次パケット、
２１１，２１２，２１３，２１４，２１５，９０３，９１３…データバッファ、
２１６…システムタイムクロックのリファレンス信号、
２１７…システムタイムクロック再生部、
２１８，２２１，２２６…復号化部、
２１９…音声信号
２２０…スピーカ、
２２２…字幕映像信号、
２２３…映像合成部、
２２４…ディスプレイ、
２２５…映像置換部、
２２７…テレビ映像信号、
９０４…字幕置換部、
９１４…音声置換部。
【図１】
2004140506.tif 000003
【図２】
2004140506.tif 000004
【図３】
2004140506.tif 000005
【図４】
2004140506.tif 000006
【図５】
2004140506.tif 000007
【図６】
2004140506.tif 000008
【図７】
2004140506.tif 000009
【図８】
2004140506.tif 000010
【図９】
2004140506.tif 000011
【図１０】
2004140506.tif 000012
【図１１】
2004140506.tif 000013
【図１２】
2004140506.tif 000014